【手続補正書】
【提出日】平成18年11月2日(2006.11.2)
【手続補正１】
【補正対象書類名】明細書
【補正対象項目名】特許請求の範囲
【補正方法】変更
【補正の内容】
【特許請求の範囲】
【請求項１】  入力される映像データを記録媒体に記録する映像記録装置において、
入力される上記映像データを圧縮処理する圧縮手段と、
上記圧縮手段で圧縮された映像データを上記記録媒体に記録する記録手段と、
上記記録手段における記録動作を制御する制御手段とを備え、
上記制御手段が上記記録手段を制御することにより、上記記録媒体上に記録された映像データの記録位置を変更させる再配置を実行可能とすることを特徴とする映像記録装置。
【請求項２】  上記制御手段は、上記記録媒体上で映像データと映像データとの間に空きスペースが生じた場合に、この空きスペースを埋めるように上記再配置を行うよう上記記録手段を制御することを特徴とする請求項１記載の映像記録装置。
【請求項３】  上記制御手段は、上記記録された映像データを消去する指示に基づいて消去を行うよう上記記録手段を制御したのち、上記再配置を行うよう上記記録手段を制御することを特徴とする請求項１記載の映像記録装置。
【請求項４】  上記制御手段は、上記映像記録装置の電源投入に応じて上記再配置を行うよう上記記録手段を制御することを特徴とする請求項１記載の映像記録装置。
【請求項５】  上記制御手段は、上記再配置を行うよう上記記録手段を制御したのち上記映像記録装置を電源オフ状態へと移行させることを特徴とする請求項１記載の映像記録装置。
【請求項６】  上記再配置動作に関する情報を表示する表示手段を更に備えることを特徴とする請求項１記載の映像記録装置。
【請求項７】  上記制御手段は、上記記録媒体上の複数セクタに渡って記録される各映像データを単位として上記再配置を行うよう上記記録手段を制御することを特徴とする請求項１記載の映像記録装置。
【請求項８】  コンピュータに、
メモリ手段に記録された映像データの再配置を行う処理工程と、
上記メモリ手段上で記録された映像データと映像データとの間に空きスペースが生じた場合に、この空きスペースを埋めるように上記処理工程の再配置を行わせ、各映像データが連続して配置されるように、記録された映像データの記録位置を変更させる制御工程とを実行させるためのプログラムを記録したことを特徴とするコンピュータ読み取り可能な記録媒体。
【請求項９】  上記制御工程は、上記記録された映像データを消去する指示に基づいて消去を行ったのち、上記処理工程の再配置を行わせることを特徴とする請求項８記載のコンピュータ読み取り可能な記録媒体。
【請求項１０】  上記プログラムは、さらに、上記コンピュータに、上記再配置動作に関する情報を表示手段に表示させる表示工程を実行させることを特徴とする請求項８記載のコンピュータ読み取り可能な記録媒体。
【請求項１１】  上記制御工程は、上記メモリ手段上の複数セクタに渡って記録される各映像データを単位として上記処理工程の再配置を行わせることを特徴とする請求項８記載のコンピュータ読み取り可能な記録媒体。
【請求項１２】  記録媒体に記録された映像データの再配置を行う処理工程と、
上記記録媒体上で記録された映像データと映像データとの間に空きスペースが生じた場合に、この空きスペースを埋めるように上記処理工程の再配置を行わせ、各映像データが連続して配置されるように、記録された映像データの記録位置を変更させる制御工程とを有することを特徴とする映像記録装置の制御方法。
【請求項１３】  入力される映像情報を記録媒体に記録する映像記録装置において、
上記記録媒体上に記録された映像情報の再配置を行うデータ制御手段と、
装置本体の電源状態を識別する第一識別手段と、
上記第一識別手段の識別結果に応じて上記データ制御手段による映像情報再配置処理の実行を制御する制御手段とを備えたことを特徴とする映像記録装置。
【請求項１４】 上記第一識別手段は、上記電源の種類を識別し、上記制御手段は、上記電源がＡＣ電源であるときに、上記映像情報再配置処理を実行するように構成されていることを特徴とする請求項１３記載の映像記録装置。
【請求項１５】 上記第一識別手段は、上記電源の種類及び残量を識別し、上記制御手段は、上記電源がバッテリーであった場合には、その残量が所定レベル以上あるときに、上記映像情報再配置処理を実行するように構成されていることを特徴とする請求項１３記載の映像記録装置。
【請求項１６】  入力される映像情報を記録媒体に記録する映像記録装置において、
上記記録媒体上に記録された映像情報の再配置を行うデータ制御手段と、
上記記録媒体上のデータ記録済み領域とデータ未記録領域の分布状態を識別する第二識別手段と、
上記第二識別手段の識別結果に基づいて上記データ制御手段を制御し、互いに所定の距離範囲外において散在するデータ記録済み領域についてのみ上記映像情報再配置処理を実行する制御手段とを備えたことを特徴とする映像記録装置。
【請求項１７】 上記記録媒体はハードディスクであることを特徴とする請求項１６記載の映像記録装置。
【請求項１８】  入力される映像情報を記録媒体に記録する映像記録装置において、
上記記録媒体上に記録された映像情報の再配置を行うデータ制御手段と、
上記記録媒体上のデータ記録済み領域とデータ未記録領域の分布状態を識別する第二識別手段と、
上記第二識別手段の識別結果に基づいて上記データ制御手段を制御し、上記記録媒体上における上記映像情報の再配置を実行の対象となる領域を、複数に分割し、上記映像情報再の配置の処理を複数回に分割して実行する制御手段とを備えたことを特徴とする映像記録装置。
【請求項１９】  入力される映像情報を記録媒体に記録する映像記録装置において、
上記記録媒体上に記録された映像情報の再配置を行うデータ制御手段と、
上記記録媒体上のデータ記録済み領域とデータ未記録領域の分布状態を識別する第二識別手段と、
上記第二識別手段の識別結果に基づいて記録残量を表示する表示手段と、
上記第二識別手段の識別結果に基づき、データ未記録領域が連続する部分に相当する記録可能領域または記録残量時間を、記録残量として上記表示手段に表示させる制御手段とを備えたことを特徴とする映像記録装置。
【請求項２０】 上記制御手段は、上記記録媒体上のデータを消去して形成されたデータ未記録領域は上記記録残量に含めないようにすることを特徴とする請求項１９記載の映像記録装置。
【請求項２１】 上記制御手段は、上記記録媒体上のデータ記録済み領域の最後尾以降の連続する記録領域を記録残量として上記表示手段に表示させることを特徴とする請求項１９記載の映像記録装置。
【手続補正２】
【補正対象書類名】明細書
【補正対象項目名】０００８
【補正方法】変更
【補正の内容】
【０００８】
【発明の実施の形態】
以下、図面を参照し、本発明の実施の形態について説明する。
（第１実施形態）
図１は本発明の第１の実施の形態の構成を示す図である。図１において、ビデオカメラ１０１で撮影された被写体１１０の映像信号は、加算器１０８へ入力されると共に、データ圧縮回路１０２へ入力される。記録手段あるいはデータ制御手段としてのデータ圧縮回路１０２では、制御手段としてのマイクロコンピュータ（以下、マイコンと称す）１０４から指示された圧縮率とタイミングでデータを圧縮して、記録媒体あるいはメモリ手段としてのハードディスク１０３に記録する。マイコン１０４は、ハードディスク１０３に記録された映像データを、映像選択スイッチ１０５と映像消去スイッチ１０６の状態に基づいて選択し消去する。次に、後述するようにしてハードディスク１０３のデータの並びを再配置することで最適化する。この映像選択、映像消去、再配置の状態は、キャラクタジェネレータ１０７で生成され、加算器１０８でビデオカメラ１０１からの映像信号とミックスされて表示手段としてのディスプレイ１０９に表示される。なお、１１１は本発明によるコンピュータ読み取り可能な記録媒体としてのメモリであり、半導体メモリ、磁気媒体、光磁気ディスク、光ディスク、ＣＤ−ＲＯＭ等が用いられ、後述の図３、図６、図７にフローチャートで示す処理をマイコン１０４で実行するプログラムが格納されている。
【手続補正３】
【補正対象書類名】明細書
【補正対象項目名】００１３
【補正方法】変更
【補正の内容】
【００１３】
ステップＳ３０３で映像選択スイッチ１０５がオフの場合は、さらに映像消去スイッチ１０６が押されているかどうかチェックし（Ｓ３０４）、押されている場合は、現在表示中の映像番号の映像を消去し（Ｓ３０７）、映像消去中の表示を出す（Ｓ３０８）。例えば、図４（ｃ）の画面３のごとく“映像番号：２：消去中”と表示する。そして、この直後にハードディスク１０３のデータを前述のようにして再配置することで最適化を行う（Ｓ３０９）。このとき最適化を行っている旨の表示を出す（Ｓ３１０）。例えば、図４（ｄ）の画面４のごとく“データ最適化中”と表示して使用者に知らせる。この再配置のアルゴリズムとしては、例えばハードディスクの空きエリアに一旦映像信号をコピーした後に再配置すべき空きエリアにコピーする（映像単位でもセクタ単位でもよい）方法、あるいは始めから順次セクタ単位で空きエリアに書き込んで行く方法等、種々の方法が考えられる。なお、再配置処理（映像情報再配置処理）時のデータの一時退避用メモリは、ハードディスク上でなく、他のメモリを用いてもよく、そのワークメモリも１セクタ分あれば十分である。
【手続補正４】
【補正対象書類名】明細書
【補正対象項目名】００２３
【補正方法】変更
【補正の内容】
【００２３】
また電源選択スイッチ８０４（第一識別手段）によりいずれの電源が選択されているかを示すスイッチ状態（電源状態）検知情報が、 マイクロコンピュータ１０４へと供給されるとともに、電源電圧の電圧検知情報が、マイクロコンピュータ１０４へと供給され、特にバッテリー使用時の減電検知等が行われる。
【手続補正５】
【補正対象書類名】明細書
【補正対象項目名】００２９
【補正方法】変更
【補正の内容】
【００２９】
一方、ステップＳ９１３で、電源の種別（種類）がバッテリーであった場合には、ステップＳ９１４で電圧が所定値以上であるか否かを判別し、電圧が所定値（所定レベル）以上であれば、ステップＳ９１５へと進んで映像消去スイッチ１０５の指示に応じた処理を行い、電源電圧が所定値以下であったなら、ステップＳ９０２へと復帰し、結果として消去を禁止する。
【手続補正６】
【補正対象書類名】明細書
【補正対象項目名】００４０
【補正方法】変更
【補正の内容】
【００４０】
同図において、ステップＳ９３０で処理をスタートすると、ステップＳ９３１で記録されている画像のファイルのＮＯを１とし、ステップＳ９３２へと移行し、ステップＳ９３１で指定したファイルが存在するか否かを判別する。指定されたファイルが存在しない場合には、後述のステップＳ９３７の処理へと移行する。指定されたファイルが存在する場合には、ステップＳ９３３、９３４へと進み、そのファイルを構成するデータ領域に不連続領域が存在するか否かを判定し（第二識別手段）、不連続領域が存在しない場合には、ステップＳ９３７の処理へと進む。
【手続補正７】
【補正対象書類名】明細書
【補正対象項目名】００５９
【補正方法】変更
【補正の内容】
【００５９】
図１４は、データ最適化処理の動作及び残量表示を説明するための図である。同図（ａ）は、映像１がハードディスク１０３上のセクタ１１〜１６を使用して記録されており、映像２がセクタ１７、１８、２１を使用して記録され、映像３がセクタ２２〜２５を使用して記録されている状態（分布状態）を示している。そしてセクタ残量は、２７セクタであるとする。
【手続補正８】
【補正対象書類名】明細書
【補正対象項目名】００６３
【補正方法】変更
【補正の内容】
【００６３】
この状態で、同図（ｃ）に示すように新たに映像４の記録を行った場合には、映像２の消去後の空き領域を使用せず、ハードディスク１０３上の記録の最後尾に付け加える形で記録が行われる。同図では、セクタ２３〜２７からなる５セクタからなる映像４が記録されており、その結果残りセクタは２２セクタと表示されている。このように、記録済み（データ記録済み）領域に、消去によって空き領域（データ未記録領域）が生じても、これを表示するセクタ残量には含めない。